(57)【要約】【課題】液晶リモコンのバックライト点灯状態を状況に応じて切り替え、液晶表示内容の視認性及び使い勝手を向上し、電池容量消費を削減できる液晶リモコン付き電子装置を提供する。【解決手段】液晶リモコン１の液晶表示部のバックライトであるＬＥＤ４２を常時点灯させる常時点灯モードと、常時消灯させる常時消灯モードと、操作部５の操作キーが操作されたときから予め定められた所定期間だけ点灯させるオートモードのいずれかのモードを選択するバックライトスイッチＳＷ１１を操作部５に設け、携帯電話機本体２の本体ＣＰＵ８が、バックライトスイッチＳＷ１１により選択されたモードに応じたＬＥＤ４２の点灯／消灯が行われるようにデータをリモコン制御部４３に送信し、このデータを受信したリモコンＣＰＵ４３が、このデータに基づいてＬＥＤ４２の点灯／消灯を行う。【選択図】      図１
2004328327.tif 000002
【特許請求の範囲】
【請求項１】
本体機器と該本体機器をリモコン操作する液晶リモコンとから成る液晶リモコン付き電子装置であって、前記液晶リモコンは、液晶表示部と、該液晶表示部を背面から照明するバックライトと、前記本体機器をリモコン操作する操作キーを備える操作部と、前記本体機器から送信されたデータを受信し該データに基づいて前記液晶表示部に情報を表示するとともに前記バックライトを点灯／消灯させるリモコン制御部を有し、
前記本体機器は、前記操作部の前記操作キーのキー入力に応じて前記データを前記リモコン制御部に送信する本体制御部を有する液晶リモコン付き電子装置において、
前記バックライトを常時点灯させる常時点灯モードと、常時消灯させる常時消灯モードと、前記操作キーが操作されたときから予め定められた所定期間だけ点灯させるオートモードのいずれかのモードを選択するスイッチを前記操作部に設け、前記本体制御部が、前記スイッチにより選択されたモードに応じた前記バックライトの点灯／消灯を行うようにデータを前記リモコン制御部に送信することを特徴とする液晶リモコン付き電子装置。
【請求項２】
本体機器と該本体機器をリモコン操作する液晶リモコンとから成る液晶リモコン付き電子装置であって、前記液晶リモコンは、液晶表示部と、該液晶表示部を背面から照明するバックライトと、前記本体機器をリモコン操作する操作キーを備える操作部と、前記本体機器から送信されたデータを受信し該データに基づいて前記液晶表示部に情報を表示するとともに前記バックライトを点灯／消灯させるリモコン制御部を有し、
前記本体機器は、前記操作部の前記操作キーのキー入力に応じて前記データを前記リモコン制御部に送信する本体制御部を有する液晶リモコン付き電子装置において、
前記操作キーによる前記本体機器の操作を有効にするとともに、前記バックライトを常時点灯させるホールドオフ常時点灯モード、常時消灯させるホールドオフ常時消灯モード、前記操作キーが操作されたときから予め定められた所定期間だけ点灯させるホールドオフオートモードと、前記操作キーによる前記本体機器の操作を無効にするとともに、前記バックライトを前記操作キーが操作されたときから前記所定期間だけ点灯させるホールドオンオートモードのいずれかのモードを選択するスイッチを前記操作部に設け、前記本体制御部が、前記スイッチにより選択されたモードに応じた前記バックライトの点灯／消灯を行うようにデータを前記リモコン制御部に送信するとともに、前記スイッチにより選択されたモードに応じて前記操作キーによる前記本体機器の操作を有効／無効にすることを特徴とする液晶リモコン付き電子装置。
【請求項３】
前記操作部は、前記操作キーが操作されたときは、前記本体機器から与えられた電圧を操作された前記操作キーに応じた電圧に分圧した分圧電圧を生成し、前記操作キーが操作されなかったときは、前記本体機器から与えられた電圧を前記スイッチに応じた電圧に分圧した分圧電圧を生成し、前記本体制御部は、前記分圧電圧をＡ／Ｄ変換するＡ／Ｄ変換部を有し、該Ａ／Ｄ変換部でデジタル化された前記分圧電圧と予め定められた所定値とを比較することにより、操作された前記操作キーと前記スイッチにより選択されたモードとを判別することを特徴とする請求項１または請求項２に記載の液晶リモコン付き電子装置。
【請求項４】
前記操作部は、前記操作キーのキー入力と前記スイッチの選択入力とを前記リモコン制御部に与え、前記操作キーのキー入力と前記スイッチの選択入力とが、前記リモコン制御部から通信によって前記本体制御部に伝えられることにより、前記本体制御部が、操作された前記操作キーと前記スイッチにより選択されたモードとを判別することを特徴とする請求項１または請求項２に記載の液晶リモコン付き電子装置。
【請求項５】
前記操作部は、前記操作キーと前記スイッチとから成るキーマトリクス回路を備えていることを特徴とする請求項４に記載の液晶リモコン付き電子装置。
【請求項６】
本体機器と該本体機器をリモコン操作する液晶リモコンとから成る液晶リモコン付き電子装置であって、前記液晶リモコンは、液晶表示部と、該液晶表示部を背面から照明するバックライトと、前記本体機器をリモコン操作する操作キーを備える操作部と、前記本体機器から送信されたデータを受信し該データに基づいて前記液晶表示部に情報を表示するとともに前記バックライトを点灯／消灯させるリモコン制御部を有し、
前記本体機器は、前記操作部の前記操作キーのキー入力に応じて前記データを前記リモコン制御部に送信する本体制御部と、時刻を設定する設定部を有する液晶リモコン付き電子装置において、
前記本体制御部は、前記設定部で設定された設定時刻を記憶する記憶部と、現在時刻を与えるリアルタイムクロックとを備え、前記リアルタイムクロックからの現在時刻と前記記憶部に記憶された設定時刻とを比較した比較結果に応じてデータを前記リモコン制御部に送信して前記バックライトを点灯／消灯させることを特徴とする液晶リモコン付き電子装置。
【請求項７】
前記本体制御部は、前記リアルタイムクロックからの現在時刻と前記記憶部に記憶された設定時刻とが一致したときに、前記バックライトを点灯させるためのデータを前記リモコン制御部に送信し、前記設定時刻以降は前記バックライトを常時点灯させることを特徴とする請求項６に記載の液晶リモコン付き電子装置。
【請求項８】
前記本体制御部は、前記リアルタイムクロックからの現在時刻と前記記憶部に記憶された設定時刻とが一致したときに、前記バックライトを消灯させるためのデータを前記リモコン制御部に送信し、前記設定時刻以降は前記バックライトを常時消灯させることを特徴とする請求項６に記載の液晶リモコン付き電子装置。
【請求項９】
前記本体制御部は、前記リアルタイムクロックからの現在時刻と前記記憶部に記憶された第１の設定時刻とが一致したときに、前記バックライトを点灯させるためのデータを前記リモコン制御部に送信し、前記リアルタイムクロックからの現在時刻と前記記憶部に記憶された第２の設定時刻とが一致したときに、前記バックライトを消灯させるためのデータを前記リモコン制御部に送信し、第１の設定時刻と第２の設定時刻との間は前記バックライトを常時点灯させることを特徴とする請求項６に記載の液晶リモコン付き電子装置。
【請求項１０】
前記本体制御部は、前記リアルタイムクロックからの現在時刻が前記記憶部に記憶された第１の設定時刻と第２の設定時刻との間であり、前記操作部からの前記キー入力があったときに、該キー入力があったときから予め定められた所定期間だけ前記バックライトを点灯させるようにデータを前記リモコン制御部に送信することを特徴とする請求項６に記載の液晶リモコン付き電子装置。
【請求項１１】
本体機器と該本体機器をリモコン操作する液晶リモコンとから成る液晶リモコン付き電子装置であって、前記液晶リモコンは、液晶表示部と、該液晶表示部を背面から照明するバックライトと、前記本体機器をリモコン操作する操作キーを備える操作部と、前記本体機器から送信されたデータを受信し該データに基づいて前記液晶表示部に情報を表示するとともに前記バックライトを点灯／消灯させるリモコン制御部を有し、
前記本体機器は、前記操作部の前記操作キーのキー入力に応じて前記データを前記リモコン制御部に送信する本体制御部を有する液晶リモコン付き電子装置において、
前記本体制御部は、前記液晶表示部に前記情報をスクロール表示させるためのデータを前記リモコン制御部に送信する前に前記バックライトを点灯させるデータを前記リモコン制御部に送信し、前記情報のスクロール表示を終了させるデータを前記リモコン制御部に送信した後に前記バックライトを消灯させるデータを前記リモコン制御部に送信することにより、前記情報がスクロール表示される間は前記バックライトを点灯させることを特徴とする液晶リモコン付き電子装置。
【請求項１２】
前記バックライトを常時点灯させる常時点灯モードと、常時消灯させる常時消灯モードと、前記操作キーが操作されたときから予め定められた所定期間と前記液晶表示部に前記情報がスクロール表示されている間だけ点灯させるオートモードのいずれかのモードを選択するスイッチを前記操作部に設け、前記本体制御部は、前記スイッチにより選択されたモードに応じた前記バックライトの点灯／消灯を行うようにデータを前記リモコン制御部に送信することを特徴とする請求項１１に記載の液晶リモコン付き電子装置。
【請求項１３】
前記操作キーによる前記本体機器の操作を有効にするとともに、前記バックライトを常時点灯させるホールドオフ常時点灯モード、常時消灯させるホールドオフ常時消灯モード、前記操作キーが操作されたときから予め定められた所定期間と前記液晶表示部に前記情報がスクロール表示されている間だけ点灯させるホールドオフオートモードと、前記操作キーのキー操作による前記本体機器の操作を無効にするとともに、前記バックライトを前記操作キーが操作されたときから予め定められた所定期間と前記液晶表示部に前記情報がスクロール表示されている間だけ点灯させるホールドオンオートモードのいずれかのモードを選択するスイッチを前記操作部に設け、前記本体制御部が、前記スイッチにより選択されたモードに応じた前記バックライトの点灯／消灯を行うようにデータを前記リモコン制御部に送信するとともに、前記スイッチにより選択されたモードに応じて前記操作キーによる前記本体機器の操作を有効／無効にすることを特徴とする請求項１１に記載の液晶リモコン付き電子装置。
【請求項１４】
前記本体機器は、時刻を設定する設定部を備え、前記本体制御部は、前記設定部で設定された設定時刻を記憶する記憶部と、現在時刻を与えるリアルタイムクロックとを備え、前記リアルタイムクロックからの現在時刻が前記記憶部に記憶された第１の設定時刻と第２の設定時刻との間であり、前記操作部からの前記キー入力があったときに、前記キー入力があったときから予め定められた所定期間と前記液晶表示部に前記情報がスクロール表示されている間だけ前記バックライトを点灯させるようにデータを前記リモコン制御部に送信することを特徴とする請求項１１に記載の液晶リモコン付き電子装置。
【請求項１５】
前記本体機器が携帯電話機であることを特徴とする請求項１〜請求項１４のいずれかに記載の液晶リモコン付き電子装置。
【発明の詳細な説明】
【０００１】
【発明の属する技術分野】
本発明は、液晶リモコンを操作することにより、接続された本体機器の操作が行え、また、この本体機器からの情報等を液晶リモコンの液晶表示部に表示する液晶リモコン付き電子装置に関するものであり、特に、液晶リモコンの液晶表示部を背面から照明するバックライトの点灯制御を行う液晶リモコン付き電子装置に関するものである。
【０００２】
【従来の技術】
近年、音楽データ等が記憶されたＳＤメモリカード、メモリスティックカード等の記憶媒体を装着し、接続された液晶リモコンを操作して、音楽再生や通話等を可能にした携帯電話機等の電子機器が普及している。このとき、液晶リモコンの液晶表示部には、曲名、アーチスト名等の前記記憶媒体に記憶された情報やメール等の情報が表示される。
【０００３】
図６は、従来のこのような液晶リモコン付き携帯電話機の電気的構成を示すブロック図である。図６において、１は液晶リモコン、２は携帯電話機本体を示し、液晶リモコン１と携帯電話機本体２とは接続プラグが付いた接続コード等から成るプラグ部３を介して接続されている。液晶リモコン１は、液晶表示部４１、ＬＥＤ（バックライト）４２、リモコンＣＰＵ（リモコン制御部）４３、操作部５及び音声入出力部６から構成されている。液晶表示部４１は、曲名、アーチスト名、メール等の情報を表示し、ＬＥＤ４２は、プラグ部３の電源端子３１に接続された電流制限抵抗ＲＸを介して電流が流れて発光し、液晶表示部４１を背面から照明する。尚、液晶表示部の背面から直接的に照明する場合と、反射光等を用いて間接的に照明する場合とがある。
【０００４】
リモコンＣＰＵ４３は、電源端子３１を介して携帯電話機本体２から供給される電源を駆動電源としている。また、リモコンＣＰＵ４３は、液晶表示部４１のドット、セグメント及びコモン制御を行う液晶コントロール部４４と、ＬＥＤ４２が接続されたＬＥＤ制御端子４９を有し、このＬＥＤ制御端子４９の電位をＬ（Ｌｏｗ）電位にしてＬＥＤ４２を点灯させ、Ｈ（Ｈｉｇｈ）電位にして消灯させる点灯制御を行うとともに、プラグ部３の通信端子３２、３３を介して携帯電話機本体２と接続されたＵＡＲＴ４５を用いて携帯電話機本体２とシリアルデータ通信を行うリモコンコアＣＰＵ４６と、リモコンコアＣＰＵ４６に接続されたＲＯＭ４７とＲＡＭ４８とを備えている。
【０００５】
また、操作部５は、音楽再生のために携帯電話機本体２を操作する操作キーＳＷ１〜ＳＷ７と、直列に接続された分圧抵抗Ｒ１〜Ｒ６とを備えている。プラグ部３のリモコンＳＷ検出端子３６に分圧抵抗Ｒ１〜Ｒ６の直列回路の一端（分圧抵抗Ｒ１側）が接続され、他端（分圧抵抗Ｒ６側）が操作キーＳＷ７を介して、プラグ部３のＧＮＤ端子３５に接続されている。ＧＮＤ端子３５は携帯電話機本体２のＧＮＤに接続されている。また、リモコンＳＷ検出端子３６と分圧抵抗Ｒ１との接続点が操作キーＳＷ１を介して、分圧抵抗Ｒ１とＲ２との接続点が操作キーＳＷ２を介して、分圧抵抗Ｒ２とＲ３との接続点が操作キーＳＷ３を介して、分圧抵抗Ｒ３とＲ４との接続点が操作キーＳＷ４を介して、分圧抵抗Ｒ４とＲ５との接続点が操作キーＳＷ５を介して、分圧抵抗Ｒ５とＲ６との接続点が操作キーＳＷ６を介して、それぞれＧＮＤ端子３５に接続されている。
【０００６】
尚、操作キーＳＷ１は、携帯電話機本体２に音楽再生の「再生／停止」を指示するための操作キーであり、操作キーＳＷ２は「早送り」を、操作キーＳＷ３は「巻き戻し」を、操作キーＳＷ４は通話の「開始／終了」を、操作キーＳＷ５は「音質切り替え」を、操作キーＳＷ６は「音量切り替えアップ」を、操作キーＳＷ７は「音量切り替えダウン」を、それぞれ指示するための操作キーである。
【０００７】
また、音声入出力部６は、プラグ部３のマイク入力端子３４とＧＮＤ端子３５とに接続され、ユーザの発した音声等を電気信号に変換して携帯電話機本体２に伝えるマイク６１と、プラグ部３のレシーバ出力端子３７、３８とＧＮＤ端子３５に接続され、ヘッドホン（図示せず）を接続するためのヘッドホン接続ジャック６２とを備えている。これにより、ユーザは携帯電話機本体２を鞄の中に入れたまま等の状態でも、液晶リモコン１により再生された音楽を聞いたり、通話をしたりすることができる。
【０００８】
次に、携帯電話機本体２を説明する。携帯電話機本体２は、装着された充電電池等（図示せず）から得られる携帯電話本体電源７と、本体ＣＰＵ（本体制御部）８を備えている。携帯電話本体電源７は、電源端子３１を介してリモコンＣＰＵ４３とＬＥＤ４２に電源電圧Ｖ（Ｖ）を供給している。また、携帯電話本体電源７は、プルアップ抵抗Ｒ０を介してリモコンＳＷ検出端子３６に接続され、操作部５に電圧を供給している。
【０００９】
また、本体ＣＰＵ８は、通信端子３２、３３を介して液晶リモコン１のＵＡＲＴ４５と接続されたＵＡＲＴ８１を用いて液晶リモコン１とシリアルデータ通信を行う本体コアＣＰＵ８２と、現在時刻をデータとして与えるＲＴＣ（リアルタイムクロック）８３と、リモコンＳＷ検出端子３６からの電圧をＡ／Ｄ変換してデジタル化した電圧値を本体コアＣＰＵに与えるＡ／Ｄ変換器（Ａ／Ｄ変換部）８４と、本体コアＣＰＵに接続されたＲＡＭ（記憶部）８５とを備えている。
【００１０】
このような構成により、液晶リモコン１の操作キーＳＷ１〜ＳＷ７を操作することにより、携帯電話機機本体２のプルアップ抵抗Ｒ０と操作された操作キーに対応した分圧抵抗Ｒ１〜Ｒ６までの合成抵抗値とで、携帯電話本体電源７の電源電圧Ｖ（Ｖ）を分圧することになり、分圧された分圧電圧は操作された操作キーに対応した直流電圧値となり、リモコンＳＷ検出端子３６に発生する。例えば、操作キーＳＷ５の操作時は、Ｒ１〜Ｒ４までの合成抵抗値とプルアップ抵抗Ｒ０の比に、電源電圧Ｖ（Ｖ）を積算した値となる。
【００１１】
そして、この各操作キーに対応した直流電圧値は、携帯電話機本体２の本体ＣＰＵ８内のＡ／Ｄ変換器８４でデジタル数値に変換され、本体コアＣＰＵ８２により、非同期に発生するイベントをチェックするための手法の１つであるポ−リングを行い、連続したデジタル変換数値と連続したデジタル変換数値の回数とをそれぞれ検出する。そして、本体ＣＰＵ８のソフトウエアで設定している液晶リモコン１の各操作キーに対応したデジタル変換数値（予め定められた所定値）と検出された連続したデジタル変換数値とその回数との比較判別処理での一致により、操作された操作キーの判別を行っている。操作された操作キー判別後は、本体ＣＰＵ８により、操作された各操作キーに応じた音楽再生／停止、通話の発信開始、通話の終了等の各動作制御が行われる。
【００１２】
また、液晶リモコンの操作キーの入力方法として、図７に示すような方法もある。図７は、音楽データ等が記憶されたＳＤメモリカード、メモリスティックカード等の記憶媒体を装着し、接続された液晶リモコンを操作して、音楽再生及び通話等を可能にした従来の他の液晶リモコン付き携帯電話機の電気的構成を示すブロック図である。図７において、図６と同一の部分には同一の符号を付し、その説明を省略する。
【００１３】
図６に示す液晶リモコン付き携帯電話機と相違する点は、図６に示す操作部５の代わりに、図６に示した操作キーＳＷ１〜ＳＷ７のような操作キーで構成された操作部１０がリモコンＣＰＵ４３のキー入力端子に接続されている点と、操作部５の操作キー判別のために必要としていたプラグ部３のリモコンＳＷ検出端子３６と、プルアップ抵抗Ｒ０と、本体ＣＰＵ８のＡ／Ｄ変換器８４とが無い点である。
【００１４】
このような構成により、リモコンＣＰＵ４３が、操作部１０のどの操作キーが押されたかのキー入力を検出し、この検出されたキー入力データを携帯電話機本体２の本体ＣＰＵ８にＵＡＲＴ通信で送出することにより、本体ＣＰＵ８が操作された操作キーの判別を行う。操作された操作キー判別後は、本体ＣＰＵ８により、操作された各操作キーに応じた音楽再生／停止、通話の発信開始、通話の終了等の各動作制御が行われる。また、操作部１０の各操作キーが直接、リモコンＣＰＵ４３のキ−入力端子に接続される場合と、操作部１０の各操作キーでキ−マトリクス回路を組んだうえでリモコンＣＰＵ４３のキ−入力端子に接続される場合とがある。
【００１５】
図６及び図７に示す液晶リモコン付き携帯電話機において、リモコンＣＰＵ４３は、携帯電話機本体２の本体ＣＰＵ８とシリアルデータ通信を行い、液晶コントロ−ル部４４で液晶表示部４１のドット、セグメント及びコモン制御を行い、前記シリアルデータ通信で得たデータに基づいた情報を液晶表示させている。表示情報が一度に液晶表示部４１に表示できない長文メールのような場合は、前記シリアルデータ通信で得たデータに応じてスクロール表示させている。
【００１６】
また、液晶表示部４１の視認性を高めるため、液晶表示部４１の背面から照明を行うＬＥＤ（バックライト）４２は、その電源を携帯電話機器本体２より供給を受け、液晶リモコン１の各キー操作に連動して数秒間（例えば、３秒間や５秒間）点灯する。液晶表示内容が曲名、ア−チスト名、メ−ル等の場合はスクロール表示するので表示時間が長いため、数十秒程度（例えば、最大２０秒）点灯し、その後はＬＥＤ４２の点灯のための消費電流（例えば、１５ｍＡ）を削減して携帯電話機本体２の電池容量消費量を少なくするために消灯させる時間固定制御仕様となっている。
【００１７】
このＬＥＤ４２の点灯制御は、上述したようにして、液晶リモコン１の操作された各操作キーが判別されたときに、本体ＣＰＵ８とリモコンＣＰＵ４３との間でＵＡＲＴシリアルデ−タ通信を行い、この通信で得たデ−タに基づき、リモコンコアＣＰＵ４６にてＬＥＤ制御端子４９をＬ電位にしてＬＥＤ４２を点灯させる。そして、本体コアＣＰＵ８２にて、ＲＴＣ８３の現在時刻データとＲＡＭ８５の設定時間データとの比較一致を行い、設定時間（例えば、３秒間や５秒間、スクロール表示の場合は最大２０秒間）が経過すると、ＵＡＲＴシリアルデータ通信を行い、この通信で得たデータに基づき、リモコンコアＣＰＵ４６にて、ＬＥＤ制御端子４９をＨ電位にしてＬＥＤ４２を消灯させている。
【００１８】
また、押釦式電話機において、オンフックダイヤル時に発生する確認音を、「キータッチ音」、「ピーポーパー音」、或いは、「消音」に切り換えるスイッチを設けたものがある（例えば、特許文献１参照）。
【００１９】
また、無線電波を利用して通信するために、少なくとも、送受信機部、操作部及び電池部を有し、操作部が、ボタンスイッチによるテンキー、電源キー及び機能キーを有し、操作部の前記ボタンスイッチが筐体の外面に露出する携帯電話機において、全てのボタンスイッチの操作を電気的に無効とする禁止スイッチを筐体の外面に設けたものもある（例えば、特許文献２参照）。
【００２０】
【特許文献１】
実開昭６２−４９８９３号公報
【特許文献２】
実開平４−４４７５１号公報
【００２１】
【発明が解決しようとする課題】
しかしながら、上述した従来の液晶リモコン付き携帯電話機では、液晶リモコンの液晶表示を確認する場合において、夜間等のバックライト点灯が必要なときに、メ−ル着信における長文メ−ルが表示された場合は、上述した時間固定制御仕様の設定時間が経過するとバックライトが消灯してメ−ル内容の確認ができないという問題があった。
【００２２】
また、液晶リモコンの操作キーを操作してバックライトを再点灯させた場合であっても、バックライトの消灯時から再点灯の間はメ−ル内容の連続スクロ−ル表示中のため、連続した内容で見ることができないという問題もあった。また、バックライトを再点灯させても、再び前記設定時間が経過するとバックライトが消灯するため、バックライト点灯のために液晶リモコンの操作キーを複数回操作する必要が生じるという問題もあった。
【００２３】
また、液晶リモコンのバックライト点灯が不要である昼間において、ユーザが、バックライト点灯時と消灯時とで液晶リモコンの液晶表示の視認性に違和感を感じるという問題があった。
【００２４】
また、音楽再生時に音量調整、音質効果の変更等を液晶リモコンの操作キーを操作して頻繁に行うユーザの場合、音量、音質の切り替え結果は聴感で確認するため、操作キーの操作に応じた液晶リモコンのバックライト点灯は不要であるにも拘わらず、上述したように、従来の液晶リモコン付き携帯電話機はキー操作に連動して数秒間点灯する仕様のため、電池容量消費に関して不利であるという問題があった。
【００２５】
また、特許文献１に記載の従来技術では、押釦式電話機でオンフックダイヤル時に発生する確認音を「キ−タッチ音」、「ピ−ポ−パ−音」、或いは「消音」に切り替えることはできるが、液晶表示のバックライトの点灯状態を切り替えるものではないので、液晶表示部の視認性の向上や電池容量消費の低減を図ることはできない。
【００２６】
また、特許文献２に記載の従来技術では、携帯電話機において、全てのボタンスイッチの操作を電気的に有効／無効に切り替えることはできるが、無効にした場合は、ボタンスイッチを操作しても液晶表示のバックライトの点灯が行われず、液晶表示の視認性が悪くなり、有効にした場合は、ボタンスイッチの操作の度にバックライトが点灯して電池容量消費に関して不利であるという問題があった。
【００２７】
本発明は、上記の点に鑑み、液晶リモコン付き電子装置において、液晶リモコンのバックライト点灯状態を状況に応じて切り替え、液晶表示内容の視認性及び使い勝手を向上し、電池容量消費を削減できる液晶リモコン付き電子装置を提供することを目的とする。
【００２８】
【課題を解決するための手段】
上記目的を達成するために本発明は、本体機器と該本体機器をリモコン操作する液晶リモコンとから成る液晶リモコン付き電子装置であって、前記液晶リモコンは、液晶表示部と、該液晶表示部を背面から照明するバックライトと、前記本体機器をリモコン操作する操作キーを備える操作部と、前記本体機器から送信されたデータを受信し該データに基づいて前記液晶表示部に情報を表示するとともに前記バックライトを点灯／消灯させるリモコン制御部を有し、前記本体機器は、前記操作部の前記操作キーのキー入力に応じて前記データを前記リモコン制御部に送信する本体制御部を有する液晶リモコン付き電子装置において、前記バックライト点灯状態を常時点灯モードと常時消灯モードとオートモードとに切り替えるためのスイッチを前記操作部に設け、このスイッチにより選択されたモードが、前記常時点灯モードのときは前記バックライトを常時点灯させ、前記常時消灯モードのときは前記バックライトを常時消灯させ、前記オートモードのときは前記操作キーが操作されたときから予め定められた所定期間だけ前記バックライトを点灯させるように、前記本体制御部がデータを前記リモコン制御部に送信するようにしたものである。
【００２９】
このようにすると、液晶リモコンのバックライト点灯状態をユーザの選択によって、常時点灯状態、常時消灯状態、前記操作キーを操作したときから前記所定期間だけ点灯させる期間点灯状態に液晶リモコンに備えられた前記スイッチで切り替えることができる。
【００３０】
また、例えば、前記スイッチに、前記液晶リモコンの前記操作キーによる前記本体機器の操作を有効／無効に切り替える機能を設け、前記操作キーによる前記本体機器の操作を有効にするとともに、前記バックライトを常時点灯させるホールドオフ常時点灯モード、常時消灯させるホールドオフ常時消灯モード、前記操作キーが操作されたときから予め定められた所定期間だけ点灯させるホールドオフオートモードと、前記操作キーによる前記本体機器の操作を無効にするとともに、前記バックライトを前記操作キーが操作されたときから前記所定期間だけ点灯させるホールドオンオートモードのいずれかが選択されるようにすると良い。
【００３１】
このようにすると、前記液晶リモコンのバックライト点灯状態を切り替えるスイッチと、前記液晶リモコンの操作キーによる前記本体機器の操作を有効／無効にするホールドスイッチとを別々に設ける必要がなくなるので、液晶リモコンの省スペース化、小型化が図れる。また、コストを低減することもできる。
【００３２】
また、例えば、前記操作部は、前記操作キーが操作されたときは、前記本体機器から与えられた電圧を操作された前記操作キーに応じた電圧に分圧した分圧電圧を生成し、前記操作キーが操作されなかったときは、前記本体機器から与えられた電圧を前記スイッチに応じた電圧に分圧した分圧電圧を生成し、前記本体制御部は、前記分圧電圧をＡ／Ｄ変換するＡ／Ｄ変換部を有し、該Ａ／Ｄ変換部でデジタル化された前記分圧電圧と予め定められた所定値とを比較することにより、操作された前記操作キーと前記スイッチにより選択されたモードとを判別するようにすると、前記操作キーと前記スイッチの入力点数に応じて入力回路等が増加して回路規模が大きくなることがなくなる。
【００３３】
また、例えば、前記操作部は、前記操作キーのキー入力と前記スイッチの選択入力とを前記リモコン制御部に与え、このキー入力と選択入力とが、前記リモコン制御部から通信によって前記本体制御部に伝えられることにより、前記本体制御部が操作された操作キーと前記スイッチにより選択されたモードとを判別するようにすると、前記操作キーのキー入力と前記スイッチの選択入力とを前記本体機器に伝えるための信号伝達経路を新たに設ける必要がなくなる。
【００３４】
また、例えば、前記操作部が、前記操作キーと前記スイッチとから成るキーマトリクス回路を備えていると、前記操作キーのキー入力と前記スイッチの選択入力とを入力するための前記リモコン制御部の入力点数を低減することができる。
【００３５】
また、例えば、本体機器と該本体機器をリモコン操作する液晶リモコンとから成る液晶リモコン付き電子装置であって、前記液晶リモコンは、液晶表示部と、該液晶表示部を背面から照明するバックライトと、前記本体機器をリモコン操作する操作キーを備える操作部と、前記本体機器から送信されたデータを受信し該データに基づいて前記液晶表示部に情報を表示するとともに前記バックライトを点灯／消灯させるリモコン制御部を有し、前記本体機器は、前記操作部の前記操作キーのキー入力に応じて前記データを前記リモコン制御部に送信する本体制御部と、時刻を設定する設定部を有する液晶リモコン付き電子装置において、前記本体制御部は、前記設定部で設定された設定時刻を記憶する記憶部と、現在時刻を与えるリアルタイムクロックとを備え、前記リアルタイムクロックからの現在時刻と前記記憶部に記憶された設定時刻とを比較した比較結果に応じてデータを前記リモコン制御部に送信して前記バックライトを点灯／消灯させると良い。このようにすると、設定された設定時刻に応じて、自動的に前記バックライトを点灯／消灯させることができる。
【００３６】
また、例えば、前記本体制御部は、前記リアルタイムクロックからの現在時刻と前記記憶部に記憶された設定時刻とが一致したときに、前記バックライトを点灯させるためのデータを前記リモコン制御部に送信し、前記設定時刻以降は前記バックライトを常時点灯させるようにすると、設定された設定時刻以降は、自動的に前記バックライトを常時点灯させることができる。
【００３７】
また、例えば、前記本体制御部は、前記リアルタイムクロックからの現在時刻と前記記憶部に記憶された設定時刻とが一致したときに、前記バックライトを消灯させるためのデータを前記リモコン制御部に送信し、前記設定時刻以降は前記バックライトを常時消灯させるようにすると、設定された設定時刻以降は、自動的に前記バックライトを常時消灯させることができる。
【００３８】
また、例えば、前記本体制御部は、前記リアルタイムクロックからの現在時刻と前記記憶部に記憶された第１の設定時刻とが一致したときに、前記バックライトを点灯させるためのデータを前記リモコン制御部に送信し、前記リアルタイムクロックからの現在時刻と前記記憶部に記憶された第２の設定時刻とが一致したときに、前記バックライトを消灯させるためのデータを前記リモコン制御部に送信し、第１の設定時刻と第２の設定時刻との間は前記バックライトを常時点灯させるようにすると、設定された期間に自動的に前記バックライトを常時点灯させることができる。
【００３９】
また、例えば、前記本体制御部は、前記リアルタイムクロックからの現在時刻が前記記憶部に記憶された第１の設定時刻と第２の設定時刻との間であり、前記操作部からの前記キー入力があったときに、前記キー入力があったときから予め定められた所定期間だけ前記バックライトを点灯させるようにデータを前記リモコン制御部に送信するようにすると、設定された期間内であって、前記操作キーの操作があったときに、前記バックライトを前記所定期間点灯させることができる。
【００４０】
また、例えば、本体機器と該本体機器をリモコン操作する液晶リモコンとから成る液晶リモコン付き電子装置であって、前記液晶リモコンは、液晶表示部と、該液晶表示部を背面から照明するバックライトと、前記本体機器をリモコン操作する操作キーを備える操作部と、前記本体機器から送信されたデータを受信し該データに基づいて前記液晶表示部に情報を表示するとともに前記バックライトを点灯／消灯させるリモコン制御部を有し、前記本体機器は、前記操作部の前記操作キーのキー入力に応じて前記データを前記リモコン制御部に送信する本体制御部を有する液晶リモコン付き電子装置において、前記本体制御部は、前記液晶表示部に前記情報をスクロール表示させるためのデータを前記リモコン制御部に送信する前に前記バックライトを点灯させるデータを前記リモコン制御部に送信し、前記情報のスクロール表示を終了させるデータを前記リモコン制御部に送信した後に前記バックライトを消灯させるデータを前記リモコン制御部に送信することにより、前記情報がスクロール表示される間は前記バックライトを点灯させるようにすると良い。このようにすると、前記液晶表示部に前記情報がスクロール表示される間は、前記バックライトの点灯を自動的に継続することができる。
【００４１】
また、例えば、前記バックライトを常時点灯させる常時点灯モードと、常時消灯させる常時消灯モードと、前記操作キーが操作されたときから予め定められた所定期間と前記液晶表示部に前記情報がスクロール表示されている間だけ点灯させるオートモードのいずれかのモードを選択するスイッチを前記操作部に設け、前記本体制御部が、前記スイッチにより選択されたモードに応じた前記バックライトの点灯／消灯を行うようにデータを前記リモコン制御部に送信すると良い。このようにすると、液晶リモコンのバックライト点灯状態をユーザの選択によって、常時点灯状態と、常時消灯状態と、前記操作キーを操作したときから前記所定期間と前記液晶表示部に前記情報がスクロール表示されている間だけ点灯させる期間点灯状態とに切り替えることができる。
【００４２】
また、例えば、前記操作キーによる前記本体機器の操作を有効にするとともに、前記バックライトを常時点灯させるホールドオフ常時点灯モード、常時消灯させるホールドオフ常時消灯モード、前記操作キーが操作されたときから予め定められた所定期間と前記液晶表示部に前記情報がスクロール表示されている間だけ点灯させるホールドオフオートモードと、前記操作キーのキー操作による前記本体機器の操作を無効にするとともに、前記バックライトを前記操作キーが操作されたときから予め定められた所定期間と前記液晶表示部に前記情報がスクロール表示されている間だけ点灯させるホールドオンオートモードのいずれかのモードを選択するスイッチを前記操作部に設け、前記本体制御部が、前記スイッチにより選択されたモードに応じた前記バックライトの点灯／消灯を行うようにデータを前記リモコン制御部に送信するとともに、前記スイッチにより選択されたモードに応じて前記操作キーによる前記本体機器の操作を有効／無効にするようにすると良い。
【００４３】
このようにすると、液晶リモコンのバックライト点灯状態をユーザの選択によって常時点灯状態と、常時消灯状態と、前記操作キーを操作したときから前記所定期間と前記液晶表示部に前記情報がスクロール表示されている間だけ点灯させる期間点灯状態とに切り替えるスイッチと、前記液晶リモコンの操作キーによる前記本体機器の操作を有効／無効にするホールドスイッチとを別々に設ける必要がなくなるので、液晶リモコンの省スペース化、小型化が図れる。また、コストを低減することもできる。
【００４４】
また、例えば、前記本体機器は、時刻を設定する設定部を備え、前記本体制御部は、前記設定部で設定された設定時刻を記憶する記憶部と、現在時刻を与えるリアルタイムクロックとを備え、前記本体制御部が、前記リアルタイムクロックからの現在時刻が前記記憶部に記憶された第１の設定時刻と第２の設定時刻との間であり、前記操作部からの前記キー入力があったときに、前記キー入力があったときから予め定められた所定期間と前記液晶表示部に前記情報がスクロール表示されている間だけ前記バックライトを点灯させるようにデータを前記リモコン制御部に送信するようにすると良い。このようにすると、設定された期間内であって、前記操作キーの操作があったときから前記所定期間と前記液晶表示部に前記情報がスクロール表示されている間だけ、前記液晶リモコンのバックライトを点灯させることができる。
【００４５】
【発明の実施の形態】
以下に、本発明の実施形態を図面を参照して説明する。図１は本発明の第１実施形態の液晶リモコン付き携帯電話機の電気的構成を示すブロック図である。
【００４６】
図１において、図６と同一の部分には同一の符号を付し、その説明を省略する。図６に示す液晶リモコン付き携帯電話機と相違する点は、液晶リモコン１の操作部５にバックライトスイッチＳＷ１１と分圧抵抗Ｒ１０〜Ｒ１２を設けた点である。また、バックライトスイッチＳＷ１１は、接点ａ、ｂ、ｃ、ｄの４つの接点を有しており、接点ａと接点ｂとを短絡するＡ位置が、ＬＥＤ４２の点灯状態を常時点灯とするバックライト常時点灯モードを指示し、接点ｂと接点ｃとを短絡するＢ位置が、ＬＥＤ４２の点灯状態を操作キーＳＷ１〜ＳＷ７のいずれかの操作があったときから所定期間だけ点灯させるバックライトオートモードを指示し、接点ｃと接点ｄとを短絡するＣ位置が、ＬＥＤ４２の点灯状態を常時消灯とするバックライト常時消灯モードを指示する。
【００４７】
また、分圧抵抗Ｒ１０の一端が分圧抵抗Ｒ６と操作キーＳＷ７との接続点に接続され、分圧抵抗Ｒ１０の他端が接点ａと分圧抵抗Ｒ１１の一端に接続されている。そして、分圧抵抗Ｒ１１の他端が接点ｃに接続され、接点ｄが分圧抵抗Ｒ１２を介してＧＮＤ端子３５に接続されている。また、接点ｂは直接、ＧＮＤ端子３５に接続されている。
【００４８】
このような構成により、バックライトスイッチＳＷ１１がＡ位置にあるバックライト常時点灯モード時、操作キーＳＷ１〜ＳＷ７が操作されていないときには、分圧抵抗Ｒ１〜Ｒ６、Ｒ１０の直列回路の合成抵抗値と携帯電話機器本体２のプルアップ抵抗Ｒ０とで携帯電話本体電源７の電源電圧Ｖ（Ｖ）を分圧することになる。そして、この分圧された直流電圧値は、本体ＣＰＵ８内のＡ／Ｄ変換器８４でデジタル数値に変換されて本体コアＣＰＵ８２に与えられる。即ち、バックライトスイッチＳＷ１１のＡ位置に対応したデジタル数値が本体コアＣＰＵ８２に与えられる。
【００４９】
本体コアＣＰＵ８２は、上述した操作された操作キーを判別するときと同様に、非同期に発生するイベントをチェックするための手法の１つであるポ−リングを行い、連続したデジタル変換数値と連続したデジタル変換数値の回数とをそれぞれ検出する。そして、本体ＣＰＵ８のソフトウエアで設定している液晶リモコン１のバックライトスイッチＳＷ１１の各スイッチ位置に対応したデジタル変換数値（予め定められた所定値）と検出された連続したデジタル変換数値とその回数との比較判別処理での一致により、バックライトスイッチＳＷ１１がＡ位置のバックライト常時点灯モードを指示する位置であることを判別し、これを記憶する。記憶する理由は、操作キーＳＷ１〜ＳＷ７が操作されたときには、前記分圧された直流電圧値が操作された操作キーに応じた分圧電圧に変化するからである。
【００５０】
そして、バックライトスイッチＳＷ１１がＡ位置であることを判別した後は、リモコンＣＰＵ４３にＵＡＲＴ８１を介したシリアルデータ通信によりバックライトを点灯させるデータを送出する。リモコンＣＰＵ４３のリモコンコアＣＰＵ４６は、ＵＡＲＴ４５を介して、このデータを受信し、このデータに基づき、ＬＥＤ制御端子４９をＬ電位にしてＬＥＤ４２を点灯させる。そして、本体コアＣＰＵ８２では、ＲＴＣ８３の現在時刻データとＲＡＭ８５に記憶された設定時間データとの比較一致動作は行われず、ＬＥＤ４２は点灯を継続する。
【００５１】
次に、バックライトスイッチＳＷ１１がＢ位置にあるバックライトオートモード時、操作キーＳＷ１〜ＳＷ７が操作されていないときには、分圧抵抗Ｒ１〜Ｒ６、Ｒ１０、Ｒ１１の直列回路の合成抵抗値と携帯電話機器本体２のプルアップ抵抗Ｒ０とで携帯電話本体電源７の電源電圧Ｖ（Ｖ）を分圧することになる。そして、この分圧された直流電圧値は、本体ＣＰＵ８内のＡ／Ｄ変換器８４でデジタル数値に変換されて本体コアＣＰＵ８２に与えられる。即ち、バックライトスイッチＳＷ１１のＢ位置に対応したデジタル数値が本体コアＣＰＵ８２に与えられる。
【００５２】
本体コアＣＰＵ８２は、このデジタル数値を上述した比較判別処理で比較することにより、バックライトスイッチＳＷ１１がＢ位置のバックライト常時点灯モードを指示する位置であることを判別して記憶する。その後、操作キーＳＷ１〜ＳＷ７が操作されたときに、前記分圧された直流電圧値が操作された操作キーに応じた分圧電圧に変化することから、操作キーが操作されたことを検出したときに、リモコンＣＰＵ４３にＵＡＲＴ８１を介したシリアルデータ通信によりバックライトを点灯させるデータを送出する。リモコンＣＰＵ４３のリモコンコアＣＰＵ４６は、ＵＡＲＴ４５を介して、このデータを受信し、このデータに基づき、ＬＥＤ制御端子４９をＬ電位にしてＬＥＤ４２を点灯させる。そして、本体コアＣＰＵ８２では、バックライトを点灯させるデータを送出した後、ＲＴＣ８３の現在時刻データとＲＡＭ８５に記憶された設定時間データとの比較一致動作を行い、設定時間（例えば、３秒）が経過したときに、再度シリアルデータ通信を行い、バックライトを消灯させるデータを送出する。リモコンＣＰＵ４３のリモコンコアＣＰＵ４６は、ＵＡＲＴ４５を介して、このデータを受信し、このデータに基づき、ＬＥＤ制御端子４９をＨ電位にしてＬＥＤ４２を消灯させる。
【００５３】
次に、バックライトスイッチＳＷ１１がＣ位置にあるバックライト常時消灯モード時、分圧抵抗Ｒ１〜Ｒ６、Ｒ１０〜Ｒ１２の直列回路の合成抵抗値と携帯電話機器本体２のプルアップ抵抗Ｒ０とで携帯電話本体電源７の電源電圧Ｖ（Ｖ）を分圧することになる。そして、この分圧された直流電圧値は、本体ＣＰＵ８内のＡ／Ｄ変換器８４でデジタル数値に変換されて本体コアＣＰＵ８２に与えられる。即ち、バックライトスイッチＳＷ１１のＣ位置に対応したデジタル数値が本体コアＣＰＵ８２に与えられる。
【００５４】
本体コアＣＰＵ８２は、このデジタル数値を上述した比較判別処理で比較することにより、バックライトスイッチＳＷ１１がＣ位置のバックライト常時消灯モードを指示する位置であることを判別して記憶する。その後、リモコンＣＰＵ４３にＵＡＲＴ８１を介したシリアルデータ通信によりバックライトを消灯させるデータを送出する。リモコンＣＰＵ４３のリモコンコアＣＰＵ４６は、ＵＡＲＴ４５を介して、このデータを受信し、このデータに基づき、ＬＥＤ制御端子４９をＨ電位にしてＬＥＤ４２を消灯させる。そして、本体コアＣＰＵ８２では、ＲＴＣ８３の現在時刻データとＲＡＭ８５に記憶された設定時間データとの比較一致動作は行われず、ＬＥＤ４２は消灯を継続する。
【００５５】
このようにして、液晶リモコン１のバックライト点灯制御が行われる。このようにすると、夜間等のバックライト点灯が必要なときに、メ−ル着信における長文メ−ルが表示された場合は、バックライトスイッチＳＷ１１をＡ位置に切り替えて、バックライトを常時点灯させることによって、他の操作キーのキー操作等を行うことなく、前記長文メールを最後まで連続した内容で見ることができる。
【００５６】
また、液晶リモコンのバックライト点灯が不要である昼間において、ユーザが、バックライト点灯時と消灯時とで液晶リモコンの液晶表示の視認性に違和感を感じる場合は、バックライトスイッチＳＷ１１をＡ位置またはＣ位置に切り替えて、バックライトを常時点灯または消灯させることによって、液晶リモコンの液晶表示の視認性を一定とすることができる。
【００５７】
また、音楽再生時に音量調整、音質効果の変更等を聴感で確認するため、操作キーの操作に応じた液晶リモコンのバックライト点灯が不要であるときや、昼間等の液晶リモコンのバックライト点灯をしなくても液晶表示が充分確認できるときは、バックライトスイッチＳＷ１１をＣ位置に切り替えて、バックライトを常時消灯させることによって、電池容量消費を低減することができる。
【００５８】
また、バックライトスイッチＳＷ１１をＢ位置に切り替えることにより、液晶表示の視認のためにバックライトが必要なときに、液晶リモコンのバックライトを操作キー操作後の所定期間だけ点灯させ、電池容量消費を低減することができる。また、操作キーＳＷ１〜ＳＷ７とバックライトスイッチＳＷ１１の接点の数に応じて入力回路等が増加して回路規模が大きくなることがなくなる。
【００５９】
通常、操作キーＳＷ１〜ＳＷ７は液晶リモコン１の表面に露出しているため、これらの操作キーが何かに接触する等により携帯電話機本体２がユーザの意志に反した動作を行ってしまうのを防ぐため、通常、図１に示すような液晶リモコン付き携帯電話機の液晶リモコン１には、液晶リモコン１の操作キーＳＷ１〜ＳＷ７の操作による携帯電話機本体２の操作を有効／無効に切り替えるホールドスイッチが備えられている。次に、このようなホールドスイッチと兼用したバックライトスイッチの例を説明する。
【００６０】
図２は、本発明の第２実施形態の液晶リモコン付き携帯電話機の電気的構成を示すブロック図である。図２において、図１と同一の部分には同一の符号を付し、その説明を省略する。図１に示す液晶リモコン付き携帯電話機と相違する点は、操作部５のバックライトスイッチ１１と分圧抵抗Ｒ１０〜Ｒ１２とから成る分圧回路部分が、バックライトスイッチ１２と分圧抵抗Ｒ２０〜Ｒ２３とから構成されている点である。
【００６１】
バックライトスイッチＳＷ１２は、接点ｅ、ｆ、ｇ、ｈ、ｉの５つの接点を有しており、接点ｅと接点ｆとを短絡するＤ位置が、ＬＥＤ４２の点灯状態を操作キーＳＷ１〜ＳＷ７のいずれかの操作があったときから所定期間だけ点灯させるとともに、操作キーＳＷ１〜ＳＷ７の操作による携帯電話機本体２の操作を無効にするホールドオンオートモードを指示し、接点ｆと接点ｇとを短絡するＥ位置が、ＬＥＤ４２の点灯状態を操作キーＳＷ１〜ＳＷ７のいずれかの操作があったときから所定期間だけ点灯させるとともに、操作キーＳＷ１〜ＳＷ７の操作による携帯電話機本体２の操作を有効にするホールドオフオートモードを指示する。
【００６２】
また、接点ｇと接点ｈとを短絡するＦ位置が、ＬＥＤ４２の点灯状態を常時消灯とするとともに、操作キーＳＷ１〜ＳＷ７の操作による携帯電話機本体２の操作を有効にするホールドオフ常時消灯モードを指示し、接点ｈと接点ｉとを短絡するＧ位置が、ＬＥＤ４２の点灯状態を常時点灯とするとともに、操作キーＳＷ１〜ＳＷ７の操作による携帯電話機本体２の操作を有効にするホールドオフ常時点灯モードを指示する。
【００６３】
図３は、上述したバックライトスイッチＳＷ１２のスイッチ位置と、バックライト点灯制御機能とホールド機能との関係を示した図である。図３において、縦線が描かれた楕円部がスライドスイッチのスライド部をイメージしたものであり、黒丸部が前記Ｄ〜Ｇの各スイッチ位置を示すものである。楕円部を黒丸部にスライドしてスイッチ内部の接点の状態を上述のように切り替え、バックライト点灯制御モードとホールド有効／無効が切り替えられる。
【００６４】
図２において、分圧抵抗Ｒ２０の一端が分圧抵抗Ｒ６と操作キーＳＷ７との接続点に接続され、分圧抵抗Ｒ２０の他端が接点ｅと分圧抵抗Ｒ２１の一端に接続されている。そして、分圧抵抗Ｒ２１の他端が接点ｇと分圧抵抗Ｒ２２の一端に接続され、分圧抵抗Ｒ２２の他端が接点ｉに接続されている。また、接点ｈが分圧抵抗Ｒ２３を介してＧＮＤ端子３５に接続され、接点ｆは直接、ＧＮＤ端子３５に接続されている。
【００６５】
このような構成により、操作キーＳＷ１〜ＳＷ７が操作されていないときであって、バックライトスイッチＳＷ１２がＤ位置にあるホールドオンオートモード時は、分圧抵抗Ｒ１〜Ｒ６、Ｒ２０の直列回路の合成抵抗値と携帯電話機器本体２のプルアップ抵抗Ｒ０とで携帯電話本体電源７の電源電圧Ｖ（Ｖ）を分圧し、Ｅ位置にあるホールドオフオートモード時は、分圧抵抗Ｒ１〜Ｒ６、Ｒ２０、Ｒ２１の直列回路の合成抵抗値と携帯電話機器本体２のプルアップ抵抗Ｒ０とで携帯電話本体電源７の電源電圧Ｖ（Ｖ）を分圧する。
【００６６】
また、操作キーＳＷ１〜ＳＷ７が操作されていないときであって、バックライトスイッチＳＷ１２がＦ位置にあるホールドオフ常時消灯モード時は、分圧抵抗Ｒ１〜Ｒ６、Ｒ２０、Ｒ２１、Ｒ２３の直列回路の合成抵抗値と携帯電話機器本体２のプルアップ抵抗Ｒ０とで携帯電話本体電源７の電源電圧Ｖ（Ｖ）を分圧し、Ｇ位置にあるホールドオフ常時点灯モード時は、分圧抵抗Ｒ１〜Ｒ６、Ｒ２０〜Ｒ２３の直列回路の合成抵抗値と携帯電話機器本体２のプルアップ抵抗Ｒ０とで携帯電話本体電源７の電源電圧Ｖ（Ｖ）を分圧する。
【００６７】
そして、これらの分圧された直流電圧値は、本体ＣＰＵ８内のＡ／Ｄ変換器８４でデジタル数値に変換されて本体コアＣＰＵ８２に与えられる。即ち、バックライトスイッチＳＷ１２のスイッチ位置に対応したデジタル数値が本体コアＣＰＵ８２に与えられる。
【００６８】
本体コアＣＰＵ８２は、これらのデジタル数値を上述した比較判別処理で比較することにより、バックライトスイッチＳＷ１２のスイッチ位置がＤ位置〜Ｇ位置のいずれであるかを判別し、これを記憶する。その後、各スイッチ位置が指示するモードに応じたバックライト点灯制御を行う。
【００６９】
先ず、バックライトスイッチＳＷ１２がＤ位置またはＥ位置であることを判別した場合、その後、操作キーＳＷ１〜ＳＷ７が操作されたときに、即ち、前記分圧された直流電圧値が操作された操作キーに応じた分圧電圧に変化することから、操作キーが操作されたことが検出されたときに、リモコンＣＰＵ４３にＵＡＲＴ８１を介したシリアルデータ通信によりバックライトを点灯させるデータを送出する。リモコンＣＰＵ４３のリモコンコアＣＰＵ４６は、ＵＡＲＴ４５を介して、このデータを受信し、このデータに基づき、ＬＥＤ制御端子４９をＬ電位にしてＬＥＤ４２を点灯させる。そして、本体コアＣＰＵ８２では、バックライトを点灯させるデータを送出した後、ＲＴＣ８３の現在時刻データとＲＡＭ８５に記憶された設定時間データとの比較一致動作を行い、設定時間（例えば、３秒）が経過したときに、再度シリアルデータ通信を行い、バックライトを消灯させるデータを送出する。リモコンＣＰＵ４３のリモコンコアＣＰＵ４６は、ＵＡＲＴ４５を介して、このデータを受信し、このデータに基づき、ＬＥＤ制御端子４９をＨ電位にしてＬＥＤ４２を消灯させる。
【００７０】
次に、バックライトスイッチＳＷ１２がＦ位置であることを判別した場合、その後、リモコンＣＰＵ４３にＵＡＲＴ８１を介したシリアルデータ通信によりバックライトを消灯させるデータを送出する。リモコンＣＰＵ４３のリモコンコアＣＰＵ４６は、ＵＡＲＴ４５を介して、このデータを受信し、このデータに基づき、ＬＥＤ制御端子４９をＨ電位にしてＬＥＤ４２を消灯させる。そして、本体コアＣＰＵ８２では、ＲＴＣ８３の現在時刻データとＲＡＭ８５に記憶された設定時間データとの比較一致動作は行われず、ＬＥＤ４２は消灯を継続する。
【００７１】
次に、バックライトスイッチＳＷ１２がＧ位置であることを判別した場合、その後、リモコンＣＰＵ４３にＵＡＲＴ８１を介したシリアルデータ通信によりバックライトを点灯させるデータを送出する。リモコンＣＰＵ４３のリモコンコアＣＰＵ４６は、ＵＡＲＴ４５を介して、このデータを受信し、このデータに基づき、ＬＥＤ制御端子４９をＬ電位にしてＬＥＤ４２を点灯させる。そして、本体コアＣＰＵ８２では、ＲＴＣ８３の現在時刻データとＲＡＭ８５に記憶された設定時間データとの比較一致動作は行われず、ＬＥＤ４２は点灯を継続する。
【００７２】
また、本体ＣＰＵ８は、上述のようにバックライト点灯制御を行うとともに、上述のようにして判別されたバックライトスイッチＳＷ１２のスイッチ位置に応じて、操作キーＳＷ１〜ＳＷ７の操作による携帯電話機本体２の操作を有効にするか、無効にするかの切り替えを行う。
【００７３】
リモコンＳＷ検出端子３６に発生する分圧電圧は、操作キーＳＷ１〜ＳＷ７のいずれかが操作されたときは、バックライトスイッチＳＷ１２のスイッチ位置に関係なく、操作された操作キーに応じた分圧電圧になるので、上述したように、本体ＣＰＵ８により、操作された操作キーが判別できる。バックライトスイッチＳＷ１２がＤ位置であることを判別した場合、本体ＣＰＵ８はホールドオンモード、即ち、操作キーＳＷ１〜ＳＷ７の操作による携帯電話機本体２の操作を無効にするモードであることを記憶しておき、操作された各操作キーに応じた音楽再生／停止、通話の発信開始、通話の終了等の各動作制御を行わないようにする。
【００７４】
一方、バックライトスイッチＳＷ１２がＥ位置またはＦ位置またはＧ位置であることを判別した場合、本体ＣＰＵ８はホールドオフモード、即ち、操作キーＳＷ１〜ＳＷ７の操作による携帯電話機本体２の操作を有効にするモードであることを記憶しておき、操作された各操作キーに応じた音楽再生／停止、通話の発信開始、通話の終了等の各動作制御が行われる。
【００７５】
このように、液晶リモコン１のバックライト制御機能と操作キーＳＷ１〜ＳＷ７の操作による携帯電話機本体２の操作を有効／無効にするホールドスイッチ機能とを併せ持った図３に示すバックライトスイッチＳＷ１２を設けることにより、液晶リモコン１の省スペース化、小型化、及び、使い勝手の向上を図ることができる。
【００７６】
図４は、本発明の第３実施形態の液晶リモコン付き携帯電話機の電気的構成を示すブロック図である。図４において、図７と同一の部分には同一の符号を付し、その説明を省略する。図７に示す液晶リモコン付き携帯電話機と相違する点は、液晶リモコン１の操作部１０にバックライトスイッチ部１１を設けた点である。
【００７７】
図４に示すバックライトスイッチ部１１は、図１に示すバックライトスイッチＳＷ１１や、図２に示すバックライトスイッチＳＷ１２のような液晶リモコン１のバックライト点灯制御モードの切り替えや、ホールド機能を有効／無効に切り替える切替スイッチを有している。そして、この切替スイッチのスイッチ入力は操作部１０が有する他の操作キーのキー入力とともに、リモコンＣＰＵ４３に入力され、リモコンＣＰＵ４３からシリアルデータ通信により本体ＣＰＵ８に伝えられる。尚、この切替スイッチと他の操作キーとでマトリクス回路を組んだうえでリモコンＣＰＵに入力されても良い。
【００７８】
このような構成により、図４に示すバックライトスイッチ部１１の前記切替スイッチを切り替えることにより、図１及び図２に示す液晶リモコン付き携帯電話機と同様に、バックライトの常時点灯、常時消灯、操作キー操作後所定期間だけ点灯させるオート点灯の切り替えが可能となる。その制御はリモコンＣＰＵ４３で操作キー及び前記切替スイッチ情報を取り込み、ＵＡＲＡＴ通信にて本体ＣＰＵ８にこのキー及びスイッチ情報を送出し、本体ＣＰＵ８で操作された操作キー及び切替スイッチの選択するバックライト点灯モードを判別後、リモコンＣＰＵ４３へデータを送出して、リモコンコアＣＰＵ４６にてＬＥＤ４２を点灯／消灯させる。また、図２に示すバックライトスイッチＳＷ１２のような液晶リモコン１のバックライト点灯制御モードの切り替えとホールド機能を有効／無効に切り替える切替スイッチを有している場合は、更に、操作キーによる携帯電話機本体２の操作を有効／無効に切り替えることができる。
【００７９】
これにより、図１及び図２に示す液晶リモコン付き携帯電話機と同様の効果が得られる上に、図１及び図２に示すプラグ部３のリモコンＳＷ検出端子３６と、プルアップ抵抗Ｒ０と、本体ＣＰＵ８のＡ／Ｄ変換器８４とが不要になる。また、液晶リモコン１の操作キーのキー入力とバックライトスイッチの接点入力とを個別に携帯電話機本体２に伝えるための配線等の信号伝達経路を新たに設ける必要がない。
【００８０】
次に、携帯電話機本体キー入力にてユーザが液晶リモコンにおけるバックライト点灯を制御する実施例を説明する。図５は、本発明の第４実施形態の液晶リモコン付き携帯電話機の電気的構成を示すブロック図である。図５において、図６と同一の部分には同一の符号を付し、その説明を省略する。図６に示す液晶リモコン付き携帯電話機と相違する点は、携帯電話機本体２に時刻を設定する設定部９を設けた点である。設定部９で設定された設定時刻は、本体ＣＰＵ８内のＲＡＭ（記憶部）８５に記憶される。尚、設定部９は、携帯電話機が通常有する数字キー等のキー入力部を利用すると良い。
【００８１】
設定部９で設定される設定時刻には、設定時刻になると自動的に液晶リモコンのバックライトであるＬＥＤ４２が点灯する自動ＯＮ設定時刻と、設定時刻になると自動的にＬＥＤ４２が消灯する自動ＯＦＦ設定時刻とが有り、例えば、ユーザは、夜間に液晶表示が見づらくなるので、夕方６時（１８：００）に自動ＯＮ設定時刻を設定すると、夕方６時になると自動的に液晶リモコンのバックライトが点灯する。また、昼間はバックライトがなくとも液晶表示が充分見えるので、朝６時（６：００）に自動ＯＦＦ設定時刻を設定すると、朝６時以降はバックライトを自動的に消灯して、携帯電話機本体２の電池消費を抑制する。
【００８２】
また、設定部９で設定される設定時刻には、設定時刻以降、または、２つの設定時刻の間は、液晶リモコン１の操作キーＳＷ１〜ＳＷ７が操作されたときから所定期間だけＬＥＤ４２が点灯するオートモードになる自動オート設定時刻があり、例えば、夕方６時（１８：００）にオートモードになるオートイン設定時刻を設定し、朝６時（６：００）にオートモードが解除されるオートアウト設定時刻を設定すると、夕方６時から朝６時までの液晶表示が見づらくなる時間帯には、操作キーを操作したときに所定期間だけバックライトが点灯し、朝６時から夕方６時までのバックライトがなくとも液晶表示が充分見える時間帯は、バックライトを常時消灯して、携帯電話機本体２の電池消費を抑制する。
【００８３】
これらの設定時刻による液晶リモコン１のバックライト点灯制御動作は、携帯電話機本体２の設定部９で自動ＯＮ時刻、自動ＯＦＦ時刻及び自動オ−ト時刻を入力すると、本体ＣＰＵ８のＲＡＭ８５にこれらの設定時刻データが入力され、これらの設定時刻データとＲＴＣ８３からの現在時刻データとを本体コアＣＰＵ８２で比較することにより、設定時刻データと現在時刻データとの一致時に、本体ＣＰＵ８からリモコンＣＰＵ４３にＵＡＲＴシリアルデータ通信によりデータが送られ、受信したこのデータに基づいて、リモコンコアＣＰＵ４６にてＬＥＤ制御端子４９を制御して液晶バックライトのＬＥＤ４２の点灯／消灯を自動制御する。
【００８４】
このようにして、液晶リモコン１のバックライト点灯制御が行われる。このようにすると、夜間等のバックライト点灯が必要なときに、メ−ル着信における長文メ−ルが表示された場合でも、自動ＯＮ設定時刻をバックライト点灯が必要になる時刻（例えば、夕方６時）に設定しておくことにより、夜間等のバックライト点灯が必要なときにはバックライトを常時点灯させることによって、他の操作キーのキー操作等を行うことなく、前記長文メールを最後まで連続した内容で見ることができる。
【００８５】
また、液晶リモコンのバックライト点灯が不要である昼間において、ユーザが、バックライト点灯時と消灯時とで液晶リモコンの液晶表示の視認性に違和感を感じる場合は、自動ＯＦＦ設定時刻をバックライト点灯が不要になる時刻（例えば、朝６時）に設定して、バックライトを常時消灯させることによって、液晶リモコンの液晶表示の視認性を一定とすることができる。
【００８６】
また、音楽再生時に音量調整、音質効果の変更等を聴感で確認するため、操作キーの操作に応じた液晶リモコンのバックライト点灯が不要であるときや、昼間等の液晶リモコンのバックライト点灯をしなくても液晶表示が充分確認できるときは、自動ＯＦＦ設定時刻をバックライト点灯が不要になる時刻に設定して、バックライトを常時消灯させることによって、電池容量消費を低減することができる。
【００８７】
尚、図７に示す液晶リモコン付き携帯電話機において、設定部９を設けて上述した制御と同様の制御を行っても、同様の効果があるのは言うまでもない。
【００８８】
次に、以上の第１〜第４実施形態の液晶リモコン付き携帯電話機において、液晶リモコン１の液晶表示部４１に情報がスクロール表示されるときに、表示開始時にバックライトが点灯し、表示終了と同時に消灯するバックライト点灯制御を説明する。
【００８９】
図１、図２、図４及び図５において、携帯電話機本体２が他の機器から受信して蓄積されたメ−ル等の情報を液晶リモコン１を操作して液晶表示部４１に表示させる場合、通常、液晶表示部４１には前記メールの全文を表示できないので、スクロール表示で順次表示している。このとき、本体ＣＰＵ８は、スクロール表示開始時にＵＡＲＴ通信で、表示するメールデータとともにスクロール表示させるためのコマンドデータを送出する前に、バックライトを点灯させるためのデータを送出し、メールのスクロール表示を終了させるコマンドデータを送信した後に、バックライトを消灯させるデータを送出する。
【００９０】
このようにすることで、長文メ−ルのスクロール表示時において、スクロール表示開始時にバックライトが点灯し、スクロール表示終了の後、消灯させることができるので、他の操作キーのキー操作等を行うことなく、長文メールを最後まで連続した内容で見ることができる。また、液晶リモコン１の操作キーを操作したときから所定期間だけバックライトを点灯させるオートモード時に限って、上述した情報がスクロール表示している間はバックライトを点灯させるようにしても良い。
【００９１】
尚、本実施形態において、液晶リモコン付き携帯電話機を用いて説明したが、本発明は液晶リモコン付きのＣＤプレーヤ、ＭＤプレーヤ等の他の液晶リモコン付き電子装置に適用できる。また、液晶リモコンに搭載されるバックライトはＬＥＤに限られるものではなく、ＥＬパネル等の他の照明装置であっても良い。
【００９２】
【発明の効果】
以上のように、本発明によれば、本体機器と該本体機器をリモコン操作する液晶リモコンとから成る液晶リモコン付き電子装置であって、前記液晶リモコンは、液晶表示部と、該液晶表示部を背面から照明するバックライトと、前記本体機器をリモコン操作する操作キーを備える操作部と、前記本体機器から送信されたデータを受信し該データに基づいて前記液晶表示部に情報を表示するとともに前記バックライトを点灯／消灯させるリモコン制御部を有し、前記本体機器は、前記操作部の前記操作キーのキー入力に応じて前記データを前記リモコン制御部に送信する本体制御部を有する液晶リモコン付き電子装置において、前記バックライト点灯状態を常時点灯モードと常時消灯モードとオートモードとに切り替えるスイッチを前記操作部に設け、前記スイッチにより選択されたモードが、前記常時点灯モードのときは前記バックライトを常時点灯させ、前記常時消灯モードのときは前記バックライトを常時消灯させ、前記オートモードのときは前記操作キーが操作されたときから予め定められた所定期間だけ前記バックライトを点灯させるように、前記本体制御部がデータを前記リモコン制御部に送信するので、液晶リモコンのバックライト点灯状態をユーザの選択によって、常時点灯状態、常時消灯状態、前記操作キーを操作した直後の所定期間だけ点灯させる期間点灯状態に切り替えることができる。これにより、前記液晶リモコンの液晶表示内容の視認性及び使い勝手を向上し、電池容量消費を削減できる。
【００９３】
また、本発明によれば、前記スイッチに、前記液晶リモコンの前記操作キーによる前記本体機器の操作を有効／無効に切り替える機能を設け、前記操作キーによる前記本体機器の操作を有効にするとともに、前記バックライトを常時点灯させるホールドオフ常時点灯モード、常時消灯させるホールドオフ常時消灯モード、前記操作キーが操作されたときから予め定められた所定期間だけ点灯させるホールドオフオートモードと、前記操作キーによる前記本体機器の操作を無効にするとともに、前記バックライトを前記操作キーが操作されたときから前記所定期間だけ点灯させるホールドオンオートモードのいずれかが選択されるようにしているので、前記液晶リモコンのバックライト点灯状態を切り替えるスイッチと、前記液晶リモコンの操作キーによる前記本体機器の操作を有効／無効にするホールドスイッチとを別々に設ける必要がなく、液晶リモコンの省スペース化、小型化が図れる。また、コストを低減することもできる。
【００９４】
また、本発明によれば、前記本体機器が時刻を設定する設定部を備え、前記本体制御部が、前記設定部で設定された設定時刻を記憶する記憶部と、現在時刻を与えるリアルタイムクロックとを備えた液晶リモコン付き電子装置において、前記本体制御部が、前記リアルタイムクロックからの現在時刻と前記記憶部に記憶された設定時刻とを比較し、この比較結果に応じてデータを前記リモコン制御部に送信して前記バックライトを点灯／消灯させるので、ユーザが設定した設定時刻に応じて、自動的に前記液晶リモコンのバックライトを点灯／消灯させることができ、前記液晶リモコンの液晶表示内容の視認性及び使い勝手を向上し、電池容量消費を削減できる。
【００９５】
また、本発明によれば、前記本体制御部が、前記情報のスクロール表示を開始させるためのデータを前記リモコン制御部に送信する前に前記バックライトを点灯させるデータを前記リモコン制御部に送信し、前記情報のスクロール表示を終了させるデータを前記リモコン制御部に送信した後に前記バックライトを消灯させるデータを前記リモコン制御部に送信することにより、前記液晶表示部に前記情報がスクロール表示される間は前記バックライトを点灯させるので、前記液晶リモコンの液晶表示内容の視認性及び使い勝手を向上し、電池容量消費を削減できる。
【図面の簡単な説明】
【図１】は、本発明の第１実施形態の液晶リモコン付き携帯電話機の電気的構成を示すブロック図である。
【図２】は、本発明の第２実施形態の液晶リモコン付き携帯電話機の電気的構成を示すブロック図である。
【図３】は、図２に示すバックライトスイッチのスイッチ位置とバックライト点灯制御機能とホールド機能との関係を示した図である。
【図４】は、本発明の第３実施形態の液晶リモコン付き携帯電話機の電気的構成を示すブロック図である。
【図５】は、本発明の第４実施形態の液晶リモコン付き携帯電話機の電気的構成を示すブロック図である。
【図６】は、従来の液晶リモコン付き携帯電話機の電気的構成を示すブロック図である。
【図７】は、従来の他の液晶リモコン付き携帯電話機の電気的構成を示すブロック図である。
【符号の説明】
１    液晶リモコン
２    携帯電話機本体
３    プラグ部
５、１０    操作部
６    音声入出力部
７    携帯電話本体電源
８    本体ＣＰＵ（本体制御部）
９    設定部
１１    バックライトスイッチ部
３１    電源端子
３２、３３    通信端子
３４    マイク入力端子
３５    ＧＮＤ端子
３６    リモコンＳＷ検出端子
３７、３８    レシーバ出力端子
４１    液晶表示部
４２    ＬＥＤ（バックライト）
４３    リモコンＣＰＵ（リモコン制御部）
４４    液晶コントロール部
４５、８１    ＵＡＲＴ
４６    リモコンコアＣＰＵ
４７    ＲＯＭ
４８    ＲＡＭ
６１    マイク
６２    ヘッドホン接続ジャック部
８２    本体コアＣＰＵ
８３    ＲＴＣ（リアルタイムクロック）
８４    Ａ／Ｄ変換器（Ａ／Ｄ変換部）
８５    ＲＡＭ（記憶部）
ａ、ｂ、ｃ、ｄ、ｅ、ｆ、ｇ、ｈ、ｉ    接点
Ｒ０    プルアップ抵抗
Ｒ１〜Ｒ６、Ｒ１０〜Ｒ１２、Ｒ２０〜Ｒ２３    分圧抵抗
ＳＷ１〜ＳＷ７    操作キー
【図１】
2004328327.tif 000003
【図２】
2004328327.tif 000004
【図３】
2004328327.tif 000005
【図４】
2004328327.tif 000006
【図５】
2004328327.tif 000007
【図６】
2004328327.tif 000008
【図７】
2004328327.tif 000009